(57)【要約】【課題】プラグ差込口に差込プラグが接続される負荷に対して直流電源を供給可能なマルチタップを提供する。【解決手段】マルチタップ１は、負荷からの差込プラグが挿抜自在に接続されるプラグ差込口３を複数具備した器体２と、器体２から導出された電源コード４に設けられて電源コンセントに挿抜自在に接続される電源接続部５とを備える。各プラグ差込口３はＩＥＣ規格に準拠し、差込プラグの先端部が挿入されるプラグ挿入用穴３１と、プラグ挿入用穴３１の底面から前方に向かって突出する円柱状の突出部３２と、突出部３２の前面に開口して、差込プラグが備える電圧極用のピン端子が差込接続される端子挿入用孔３３ａ，３３ｂと、電源接続部５を介して外部電源から得た直流電源が供給され、端子挿入用孔３３ａ，３３ｂを通して突出部３２内に挿入される電圧極用のピン端子に電気的に接続される刃受部材とを備える。【選択図】図１
2010097876.tif 000002
【特許請求の範囲】
【請求項１】
負荷からの差込プラグが挿抜自在に接続されるプラグ差込口を複数具備した器体と、器体から導出された電源コードに設けられて電源コンセントに挿抜自在に接続される電源接続部とを備え、
前記各プラグ差込口はＩＥＣ規格に準拠し、前記差込プラグの先端部が挿入されるプラグ挿入用穴と、プラグ挿入用穴の底面から前方に向かって突出する円柱状の突出部と、当該突出部の前面に開口して、前記差込プラグが備える電圧極用のピン端子が差込接続される端子挿入用孔と、電源接続部を介して外部電源から得た直流電源が供給され、端子挿入用孔を通して突出部内に挿入される電圧極用のピン端子に電気的に接続される刃受部材とを備えたことを特徴とするマルチタップ。
【請求項２】
前記電源接続部を介して供給される直流電源の電圧値を、対応するプラグ差込口の定格電圧に変換して当該プラグ差込口の刃受部材に供給するＤＣ／ＤＣコンバータを備えたことを特徴とする請求項１記載のマルチタップ。
【請求項３】
一次側巻線と二次側巻線とが電気的に絶縁され、一次側巻線に前記電源接続部を介して交流電源が供給される絶縁トランスと、絶縁トランスの二次側巻線に発生する交流電圧を直流に変換するＡＣ／ＤＣコンバータと、ＡＣ／ＤＣコンバータの出力を対応するプラグ差込口の定格電圧に変換して当該プラグ差込口の刃受部材に供給するＤＣ／ＤＣコンバータとを備えたことを特徴とする請求項１記載のマルチタップ。
【請求項４】
ＵＳＢコネクタが挿抜自在に接続されるＵＳＢ接続ポートと、前記電源接続部を介して外部電源から得た直流電力をＵＳＢ接続ポートに供給する給電回路とを備えたことを特徴とする請求項１乃至３の何れか１項に記載のマルチタップ。
【請求項５】
社団法人電子情報技術産業協会により規格化されたプラグ形コネクタが挿抜自在に接続されるジャック形のＤＣ電源用コネクタと、前記電源接続部を介して外部電源から得た直流電力をＤＣ電源用コネクタに供給する給電回路とを備えたことを特徴とする請求項１乃至３の何れか１項に記載のマルチタップ。
【請求項６】
Ｅｔｈｅｒｎｅｔ（登録商標）の配線が接続される第１のＬＡＮポートと、Ｅｔｈｅｒｎｅｔ（登録商標）の他の配線が接続される第２のＬＡＮポートとを備え、両ＬＡＮポート間で信号を送受させるとともに、前記電源接続部を介して外部電源から得た直流電力を第２のＬＡＮポートに接続される他の配線に重畳させるＰｏＥ給電回路を備えたことを特徴とする請求項１乃至３の何れか１項に記載のマルチタップ。
【請求項７】
上流側からのＵＳＢコネクタが接続される上流側のＵＳＢ接続ポートと、下流側からのＵＳＢコネクタがそれぞれ接続される複数の下流側のＵＳＢ接続ポートと、上流側のＵＳＢ接続ポートと下流側のＵＳＢ接続ポートの間で信号の転送処理を行うＵＳＢハブ回路とを備え、当該ＵＳＢハブ回路に、前記電源接続部を介して外部電源から得た直流電力を下流側のＵＳＢ接続ポートに供給する給電機能を設けたことを特徴とする請求項１乃至３の何れか１項に記載のマルチタップ。
【請求項８】
Ｅｔｈｅｒｎｅｔ（登録商標）の配線がそれぞれ接続される複数のＬＡＮポートと、複数のＬＡＮポートの間で信号の転送処理を行うハブ回路とを備え、当該ハブ回路に、前記電源接続部を介して外部電源から得た直流電力を各ＬＡＮポートに接続される配線に重畳させるＰｏＥ給電機能を設けたことを特徴とする請求項１乃至３の何れか１項に記載のマルチタップ。
【請求項９】
蓄電池と、前記電源接続部を介して外部電源が供給される間は外部電源から得た直流電源により前記蓄電池を充電するとともに、前記外部電源の停電時には前記蓄電池を放電させることによって前記刃受部材に直流電力を供給する充放電回路とを備えたことを特徴とする請求項１乃至８の何れか１項に記載のマルチタップ。
【発明の詳細な説明】
【技術分野】
【０００１】
本発明は、マルチタップに関するものである。
【背景技術】
【０００２】
従来、負荷からの差込プラグが挿抜自在に接続されるプラグ差込口を複数具備した器体と、器体から導出された電源コードに設けられてＡＣ１００Ｖの電源コンセントに挿抜自在に接続される電源接続部とを備え、プラグ差込口に差込プラグが接続された負荷に対してＡＣ１００Ｖ電源を供給するマルチタップが提供されていた（例えば特許文献１参照）。
【特許文献１】特開平７−２１１３８４号公報
【発明の開示】
【発明が解決しようとする課題】
【０００３】
上記構成のマルチタップでは、負荷にＡＣ１００Ｖ電源しか供給することができず、例えばラジオや電話機など直流電源を駆動電源とする直流機器に直流電源を供給したい場合は、マルチタップにＡＣ／ＤＣ変換アダプタを接続し、ＡＣ／ＤＣ変換アダプタにより交流電源を直流に変換する必要があった。
【０００４】
本発明は上記問題点に鑑みて為されたものであり、その目的とするところは、プラグ差込口に差込プラグが接続される負荷に対して直流電源を供給可能なマルチタップを提供することにある。
【課題を解決するための手段】
【０００５】
上記目的を達成するために、請求項１の発明は、負荷からの差込プラグが挿抜自在に接続されるプラグ差込口を複数具備した器体と、器体から導出された電源コードに設けられて電源コンセントに挿抜自在に接続される電源接続部とを備え、各プラグ差込口はＩＥＣ規格に準拠し、差込プラグの先端部が挿入されるプラグ挿入用穴と、プラグ挿入用穴の底面から前方に向かって突出する円柱状の突出部と、当該突出部の前面に開口して、差込プラグが備える電圧極用のピン端子が差込接続される端子挿入用孔と、電源接続部を介して外部電源から得た直流電源が供給され、端子挿入用孔を通して突出部内に挿入される電圧極用のピン端子に電気的に接続される刃受部材とを備えたことを特徴とする。ここにおいて、外部電源から得た直流電源を刃受部材に供給する場合には、外部電源から供給される直流電源をそのまま刃受部材に供給する場合と、外部電源から供給される直流電源の電圧値を負荷に適合する電圧値に変換して刃受部材に供給する場合と、外部電源から供給される交流電源を直流電源に変換して刃受部材に供給する場合とがある。
【０００６】
請求項２の発明は、請求項１の発明において、電源接続部を介して供給される直流電源の電圧値を、対応するプラグ差込口の定格電圧に変換して当該プラグ差込口の刃受部材に供給するＤＣ／ＤＣコンバータを備えたことを特徴とする。
【０００７】
請求項３の発明は、請求項１の発明において、一次側巻線と二次側巻線とが電気的に絶縁され、一次側巻線に電源接続部を介して交流電源が供給される絶縁トランスと、絶縁トランスの二次側巻線に発生する交流電圧を直流に変換するＡＣ／ＤＣコンバータと、ＡＣ／ＤＣコンバータの出力を対応するプラグ差込口の定格電圧に変換して当該プラグ差込口の刃受部材に供給するＤＣ／ＤＣコンバータとを備えたことを特徴とする。
【０００８】
請求項４の発明は、請求項１乃至３の何れかの発明において、ＵＳＢコネクタが挿抜自在に接続されるＵＳＢ接続ポートと、電源接続部を介して外部電源から得た直流電力をＵＳＢ接続ポートに供給する給電回路とを備えたことを特徴とする。
【０００９】
請求項５の発明は、請求項１乃至３の何れかの発明において、社団法人電子情報技術産業協会により規格化されたプラグ形コネクタが挿抜自在に接続されるジャック形のＤＣ電源用コネクタと、電源接続部を介して外部電源から得た直流電力をＤＣ電源用コネクタに供給する給電回路とを備えたことを特徴とする。
【００１０】
請求項６の発明は、請求項１乃至３の何れかの発明において、Ｅｔｈｅｒｎｅｔ（登録商標）の配線が接続される第１のＬＡＮポートと、Ｅｔｈｅｒｎｅｔ（登録商標）の他の配線が接続される第２のＬＡＮポートとを備え、両ＬＡＮポート間で信号を送受させるとともに、電源接続部を介して外部電源から得た直流電力を第２のＬＡＮポートに接続される他の配線に重畳させるＰｏＥ（Power over Ethernet（登録商標））給電回路を備えたことを特徴とする。ここにおいて、ＰｏＥとは、イーサネット（登録商標）の配線に直流電力を重畳させることによって直流電力を給電する技術であるが、１０ＢＡＳＥ−Ｔや１００ＢＡＳＥ−ＴＸにおいてデータ通信に使用されていない４本の電線に直流電力を重畳する場合と、データ通信に使用される４本の信号線に直流電力を重畳する場合とがある。
【００１１】
請求項７の発明は、請求項１乃至３の何れかの発明において、上流側からのＵＳＢコネクタが接続される上流側のＵＳＢ接続ポートと、下流側からのＵＳＢコネクタがそれぞれ接続される複数の下流側のＵＳＢ接続ポートと、上流側のＵＳＢ接続ポートと下流側のＵＳＢ接続ポートの間で信号の転送処理を行うＵＳＢハブ回路とを備え、当該ＵＳＢハブ回路に、電源接続部を介して外部電源から得た直流電力を下流側のＵＳＢ接続ポートに供給する給電機能を設けたことを特徴とする。
【００１２】
請求項８の発明は、請求項１乃至３の何れかの発明において、Ｅｔｈｅｒｎｅｔ（登録商標）の配線がそれぞれ接続される複数のＬＡＮポートと、複数のＬＡＮポートの間で信号の転送処理を行うハブ回路とを備え、当該ハブ回路に、電源接続部を介して外部電源から得た直流電力を各ＬＡＮポートに接続される配線に重畳させるＰｏＥ給電機能を設けたことを特徴とする。
【００１３】
請求項９の発明は、請求項１乃至８の何れかの発明において、蓄電池と、電源接続部を介して外部電源が供給される間は外部電源から得た直流電源により蓄電池を充電するとともに、外部電源の停電時には蓄電池を放電させることによって刃受部材に直流電力を供給する充放電回路とを備えたことを特徴とする。
【発明の効果】
【００１４】
請求項１の発明によれば、プラグ差込口はＩＥＣ規格に準拠しているので、ＩＥＣ規格に準拠した差込プラグを接続することができ、且つ、プラグ差込口の備える刃受部材には、電源接続部を介して電源コンセントから供給される外部電源から得た直流電源が供給されているので、プラグ差込口に差込プラグが接続された負荷に対して直流電力を直接供給することができる。
【００１５】
請求項２の発明によれば、電源コンセントから供給された直流電源の電圧値を、ＤＣ／ＤＣコンバータ部により、プラグ差込口に接続される負荷の定格電圧に対応した電圧値に変換することができる。
【００１６】
請求項３の発明によれば、直流電源を供給可能な電源コンセントが存在しない場合でも、電源コンセントから供給された交流電源が絶縁トランスの一次側巻線に入力され、絶縁トランスの二次側巻線に発生する交流電圧をＡＣ／ＤＣコンバータにより直流に変換した後、ＤＣ／ＤＣコンバータ部により負荷に適合した電圧値に変換しているので、絶縁トランスの一次側と絶縁された直流電源をプラグ差込口から供給することができる。
【００１７】
請求項４の発明によれば、給電回路がＵＳＢ接続ポートに直流電力を供給しているので、このＵＳＢ接続ポートにＵＳＢコネクタが接続される機器に対して直流電力を供給することができる。
【００１８】
請求項５の発明によれば、社団法人電子情報技術産業協会により規格化されたジャック形のＤＣ電源用コネクタを備えており、このＤＣ電源用コネクタにプラグ形のコネクタが接続された機器に対して直流電力を供給することができる。
【００１９】
請求項６の発明によれば、ＰｏＥ給電回路が第２のＬＡＮポートに接続される配線に直流電力を重畳させているので、ＰｏＥ受電機能を有する機器に直流電力を供給することができる。
【００２０】
請求項７の発明によれば、マルチタップに、給電機能付きＵＳＢハブの機能を持たせることができる。
【００２１】
請求項８の発明によれば、マルチタップに、ＰｏＥ給電が可能なハブの機能を持たせることができる。
【００２２】
請求項９の発明によれば、外部電源の通電中に充放電回路が蓄電池を充電しておくことで、外部電源の停電時には蓄電池を電源として刃受部材に直流電力を供給することができ、プラグ差込口に差込プラグが接続された負荷を停電中でも動作させることができる。
【発明を実施するための最良の形態】
【００２３】
以下に本発明の実施の形態を図面に基づいて説明する。
【００２４】
（実施形態１）
本発明にかかるマルチタップの実施形態１を図１〜図４に基づいて説明する。
【００２５】
図１（ａ）はマルチタップ１の外観図であり、このマルチタップ１は、負荷からの差込プラグ（図示せず）が挿抜自在に接続されるプラグ差込口３を複数具備した器体２と、器体２の長手方向一端側から導出された電源コード４と、電源コード４に設けられ壁面などに配設された電源コンセント（図示せず）に挿抜自在に接続される電源接続部５とを備えている。
【００２６】
器体２は細長の直方体状の合成樹脂成形品からなり、主表面には長手方向に並べて複数個（本実施形態では例えば４個）のプラグ差込口３が設けられている。
【００２７】
各プラグ差込口３は、直流のＳＥＬＶ（Safty Extra Low Voltage：安全特別低電圧）用に規格化されたＩＥＣ規格（ＣＥＩ／ＩＥＣ  ９０６−３）に準拠しており、図２（ａ）〜（ｃ）に示すように差込プラグ（図示せず）の先端部が挿抜自在に接続されるプラグ挿入用穴３１と、プラグ挿入用穴３１の底面から前方に向かって突出する円柱状の突出部３２と、突出部３２の前面に開口して、差込プラグが備える電圧極用のピン端子（図示せず）が差込接続される端子挿入用孔３３ａ，３３ｂと、端子挿入用孔３３ａ，３３ｂを通して突出部３２内に挿入される電圧極用のピン端子に電気的に接続される刃受部材３４ａ，３４ｂとを備えている。ここで、各刃受部材３４ａ，３４ｂは弾性を有する帯板を逆Ω字形に曲成して形成されており、底片の両側から突出する一対の刃受ばね片３４ｃは互いに対向配置され、両者の間隔が上方ほど幅狭となるように傾斜し、且つ、上端間は差込プラグのピン端子が挿入しやすいよう上方ほど間隔が広がるように傾斜している。各プラグ差込口３の刃受部材３４ａ，３４ｂは、器体２内部に収納された導電部材（図示せず）を介して、後述する電源接続部５のピン端子５３ａ，５３ｂに電気的に接続されており、電源接続部５を介して電源コンセントから供給される直流電力が刃受部材３４ａ，３４ｂ間に供給されるようになっている。
【００２８】
また突出部３２の外周面には、基準位置を示す嵌合溝３５がプラグ挿抜方向に沿って形成され、突出部３２の中心位置を通り、当該中心位置と嵌合溝３５とを結ぶ線分に対して直交する直線上には、中心位置に対して対称な位置に上記の端子挿入用孔３３ａ，３３ｂが開口している。ここにおいて、本実施形態のマルチタップ１は直流電源の供給用に用いられるものであり、ＤＣ電源用のプラグ差込口３では、図３に示すように嵌合溝３５を上側に見た時に左側に位置する端子挿入用孔３３ａが正極側のピン端子に対応し、右側に位置する端子挿入用孔３３ｂが負極側のピン端子に対応している。
【００２９】
また突出部３２の外周面には、図３に示すように定格電圧の種類に応じた位置に、対応する差込プラグの識別リブ（図示せず）が嵌合する誤接続防止用の嵌合溝３６（誤接続防止溝）が形成されている。上述のＩＥＣ規格では直流及び交流のＳＥＬＶ回路について極配置などが規定されているが、本実施形態のプラグ差込口３は直流電源の供給用であり、電源電圧がＤＣ６Ｖ，１２Ｖ，２４Ｖ，４８Ｖの場合、それぞれ、嵌合溝３５の位置を基準（０°）として右回りに１２０°，１５０°，２１０°，２４０°の位置に嵌合溝３６が１箇所ずつ形成されている。尚、図１及び図２に示すプラグ差込口３はＤＣ４８Ｖ用であり、嵌合溝３５の位置を基準として右回りに２４０°の位置に嵌合溝３６が形成されている。
【００３０】
このように、プラグ差込口３では、突出部３２の外周面において給電電圧に応じた位置に、差込プラグに設けた識別リブが係入する嵌合溝３６が形成されているので、嵌合溝３６の位置によって供給電圧の異なる差込プラグがプラグ差込口３に差込接続されるのを防止することができ、負荷の定格電圧に適合した直流電源を供給することができる。また突出部３２の前面は、図２（ｂ）（ｃ）に示すように、器体２の表面よりも後退した位置にあるので、プラグ差込口３に接続される差込プラグ（図示せず）の器体２前面からの突出量を小さくすることができる。
【００３１】
一方、電源接続部５は、図１及び図４に示すように電源コード４の端部に接続された円柱状の把持部５１を備え、この把持部５１の前面には丸穴状に凹んだ嵌合穴５２が開口しており、嵌合穴５２の内周面には基準位置を示す基準リブ５４がプラグ挿抜方向（図４（ｂ）において紙面と垂直な方向）に沿って突設されている。そして、把持部５１の中心位置を通り、当該中心位置と基準リブ５４とを結ぶ線分に対して直交する直線上には、中心位置に対して対称な位置に、把持部５１の軸方向に沿って延びる丸棒状の２本のピン端子５３ａ，５３ｂが配置されている。尚、図４（ｂ）に示すように基準リブ５４を上側に見た時に右側に位置するピン端子５３ａが正極側、左側に位置するピン端子５３ｂが負極側のピン端子となっている。
【００３２】
また嵌合穴５２の内周面には、定格電圧に応じた位置に、プラグ挿抜方向に沿って延びる誤接続防止用の識別リブ５５が突設されている。ここで、上述のＩＥＣ規格では直流及び交流のＳＥＬＶ回路に用いられるソケット及びプラグについて極配置などが規定されているが、本実施形態の電源接続部５は直流電源用であり、電源電圧がＤＣ６Ｖ，１２Ｖ，２４Ｖ，４８Ｖの場合、それぞれ、基準リブ５４の位置を基準（０°）として左回りに１２０°，１５０°，２１０°，２４０°の位置に、識別リブ５５が１箇所ずつ形成されている。尚、図１及び図４（ａ）に示す電源接続部５はＤＣ４８Ｖ用であり、基準リブ５４に対して左回りに２１０°の位置に識別リブ５５が形成されている。
【００３３】
電源接続部５のピン端子５３ａ，５３ｂは、それぞれ、電源コード４及び器体２内部に収納された導電部材（図示せず）を介して各プラグ差込口３の刃受部材３４ａ，３４ｂに電気的に接続されており、上記ＩＥＣ規格に準拠したソケットを有する直流電源用のコンセントに電源接続部５を差込接続すると、電源接続部５を介して電源コンセントから供給される外部電源（直流電源）がそのまま刃受部材３４ａ，３４ｂに供給されるので、プラグ差込口３に差込プラグが接続される負荷に対して直流電力を直接供給することができる。またマルチタップ１が備えるプラグ差込口３はＩＥＣ規格に準拠しているので、ＩＥＣ規格に準拠した差込プラグ（図示せず）を有する負荷であればマルチタップ１に接続して、電源供給を受けることができる。
【００３４】
尚、本実施形態のマルチタップ１では、電源接続部５を介して電源コンセントから直流電源の供給を受けているが、図５及び図６に示すマルチタップ１’のように電源コンセント１００から商用交流電源の供給を受け、交流電源を直流に変換してプラグ差込口３に供給するようにしてもよい。図５はマルチタップ１’の外観図であり、マルチタップ１’は、ＩＥＣ規格に準拠した直流用のプラグ差込口３とＪＩＳ規格に準拠した交流用のプラグ差込口２１とを具備した器体２と、器体２から導出された電源コード４に設けられて、商用交流電源の電源コンセント１００に挿抜自在に接続されるＡＣ１００Ｖ用の電源接続部２０とを備えている。
【００３５】
また図６はマルチタップ１’のブロック回路図であり、マルチタップ１’は、一次側巻線と二次側巻線とが電気的に絶縁され、一次側巻線に電源接続部２０を介して商用交流電源が供給される絶縁トランス２２と、絶縁トランス２２の二次側巻線に発生する交流電圧を直流に変換するＡＣ／ＤＣコンバータ２３と、ＡＣ／ＤＣコンバータ２３の出力を対応するプラグ差込口３の定格電圧（例えばＤＣ４８Ｖ）に変換して当該プラグ差込口３の刃受部材に供給するＤＣ／ＤＣコンバータ２４とを備えている。尚、交流用のプラグ差込口２１には、電源接続部２０を介して入力される商用交流電源が供給されており、商用交流電源で動作する交流負荷からの電源プラグをプラグ差込口２１に接続することによって、交流負荷に商用交流電源を供給することができる。
【００３６】
このようにマルチタップ１’は、電源コンセント１００から商用交流電源の供給を受け、商用交流電源から得たＳＥＬＶ（安全特別低電圧）電源をプラグ差込口３に供給しているので、直流電源を供給可能な電源コンセントが存在しない場合でも、絶縁トランス２２の一次側と絶縁された直流電源をプラグ差込口３から供給することができる。
【００３７】
（実施形態２）
本発明の実施形態２を図７及び図８に基づいて説明する。上述の実施形態１では、電源接続部５を介して電源コンセントから供給された直流電源を、そのまま各プラグ差込口３の刃受部材３４ａ，３４ｂに供給していたが、本実施形態では、電源接続部５を介して入力された直流電源の電圧値を変換するＤＣ／ＤＣコンバータ６を器体２の内部に収納し、ＤＣ／ＤＣコンバータ６によって電圧値が変換された直流電源を対応するプラグ差込口３の刃受部材３４ａ，３４ｂに供給している。尚、ＤＣ／ＤＣコンバータ６を設けた点を除いては実施形態１と同様であるので、共通する構成要素には同一の符号を付してその説明は省略する。
【００３８】
ここにおいて、電源接続部５はＤＣ４８Ｖ用であり、電源接続部５を介して電源コンセント（図示せず）から供給されたＤＣ４８Ｖの直流電源は、そのままプラグ接続口３Ａの刃受部材３５ａ，３５ｂに供給されるととともに、ＤＣ／ＤＣコンバータ６にも供給される。ＤＣ／ＤＣコンバータ６では、入力されたＤＣ４８Ｖの直流電源をＤＣ２４Ｖ、ＤＣ１２Ｖ、ＤＣ６Ｖの３種類の電圧値に変換して、プラグ差込口３Ｂ，３Ｃ，３Ｄの刃受部材３５ａ，３５ｂに供給しており、プラグ差込口３Ａ，３Ｂ，３Ｃ，３ＤからそれぞれＤＣ４８Ｖ，ＤＣ２４Ｖ，ＤＣ１２Ｖ，ＤＣ６Ｖの直流電源を供給することができる。尚、各プラグ差込口３Ａ〜３Ｄでは、それぞれ、給電電圧に対応した位置に嵌合溝３６が設けられている。
【００３９】
上述のように本実施形態では、電源接続部５を介して供給される直流電源の電圧値を、対応するプラグ差込口３Ｂ〜３Ｄの定格電圧に変換して、プラグ差込口３Ｂ〜３Ｄの刃受部材３４ａ，３４ｂにそれぞれ供給するＤＣ／ＤＣコンバータ６を備えているので、電源コンセントから供給された直流電源の電圧値を、プラグ差込口３に接続される負荷の定格電圧に適合した電圧値に変換することができる。
【００４０】
尚、本実施形態のマルチタップ１では、電源接続部５を介して電源コンセントから直流電源の供給を受けているが、図９及び図１０に示すマルチタップ１’のように電源コンセント１００から商用交流電源の供給を受け、交流電源を直流に変換してプラグ差込口３Ａ〜３Ｃに供給するようにしてもよい。
【００４１】
図９はマルチタップ１’の外観図であり、マルチタップ１’は、ＩＥＣ規格に準拠した直流用のプラグ差込口３Ａ〜３ＣとＪＩＳ規格に準拠した交流用のプラグ差込口２１とを具備した器体２と、器体２から導出された電源コード４に設けられて、商用交流電源の電源コンセント１００に挿抜自在に接続されるＡＣ１００Ｖ用の電源接続部２０とを備えている。
【００４２】
また図１０はマルチタップ１’のブロック回路図であり、マルチタップ１’は、一次側巻線と二次側巻線とが電気的に絶縁され、一次側巻線に電源接続部２０を介して商用交流電源が供給される絶縁トランス２２と、絶縁トランス２２の二次側巻線に発生する交流電圧を直流に変換するＡＣ／ＤＣコンバータ２３と、ＡＣ／ＤＣコンバータ２３の出力を対応するプラグ差込口３Ａ〜３Ｃの定格電圧（例えばＤＣ４８Ｖ、ＤＣ２４Ｖ、ＤＣ１２Ｖの３種類）に変換して各プラグ差込口３Ａ〜３Ｃの刃受部材に供給するＤＣ／ＤＣコンバータ２４とを備えている。尚、交流用のプラグ差込口２１には、電源接続部２０を介して入力される商用交流電源が供給されており、商用交流電源の供給を受けて動作する交流負荷からの電源プラグをプラグ差込口２１に接続することによって、交流負荷に商用交流電源を供給することができる。
【００４３】
このようにマルチタップ１’は、電源コンセント１００から商用交流電源の供給を受け、商用交流電源から得たＳＥＬＶ（安全特別低電圧）電源をプラグ差込口３Ａ〜３Ｃに供給しているので、直流電源を供給可能な電源コンセントが存在しない場合でも、絶縁トランス２２の一次側と絶縁された直流電源をプラグ差込口３Ａ〜３Ｃから供給することができる。
【００４４】
（実施形態３）
本発明の実施形態３を図１１及び図１２に基づいて説明する。上述の実施形態１，２では、マルチタップ１にＩＥＣ規格に準拠したプラグ差込口３（３Ａ〜３Ｄ）しか設けられていないが、本実施形態のマルチタップ１には、図１１（ａ）に示すようにＩＥＣ規格に準拠した２口のプラグ差込口３Ａ，３Ｂと、プラグタイプのＵＳＢコネクタ（図示せず）が挿抜自在に接続される２口のソケットタイプのＵＳＢ接続ポート７とが設けられている。また図１２（ａ）は本実施形態のマルチタップ１のブロック回路図を示し、２口のプラグ差込口３Ａ，３Ｂが備える刃受部材３４ａ，３４ｂには、電源接続部５を介して電源コンセントから供給されるＤＣ４８Ｖの直流電源がそのまま供給される。また、電源コンセントから供給されたＤＣ４８Ｖの直流電源はＤＣ／ＤＣコンバータ６にも入力され、給電回路としてのＤＣ／ＤＣコンバータ６によって例えばＤＣ５Ｖに変換されて２口のＵＳＢ接続ポート７に供給される。尚、ＤＣ／ＤＣコンバータ６及びＵＳＢ接続ポート７以外の構成は実施形態１と同様であるので、共通する構成要素には同一の符号を付してその説明は省略する。
【００４５】
上述のように本実施形態のマルチタップ１は、ＵＳＢコネクタが挿抜自在に接続されるＵＳＢ接続ポート７を備えており、ＤＣ／ＤＣコンバータ６が、電源接続部５を介して入力されたＤＣ４８Ｖの直流電源をＤＣ５Ｖに変換するとともに、ＤＣ５Ｖの直流電源をＵＳＢ接続ポート７に供給しているので、ＵＳＢ接続ポート７にＵＳＢコネクタが接続された機器（例えば携帯電話機やライトなど）に対してＤＣ５Ｖの直流電源を供給することができる。
【００４６】
尚、本実施形態では２口のプラグ差込口３Ａ，３Ｂに、電源接続部５から入力された直流電源をそのまま供給しているが、図１２（ｂ）に示すように一方のプラグ差込口３Ａの刃受部材３４ａ，３４ｂには、電源接続部５から入力されたＤＣ４８Ｖの直流電源をそのまま供給し、もう一方のプラグ差込口３Ｂの刃受部材３４ａ，３４ｂには、ＤＣ／ＤＣコンバータ６により電圧値を負荷の定格電圧に対応した電圧値（例えばＤＣ６Ｖ、ＤＣ１２Ｖ、ＤＣ２４Ｖなど）に変換した直流電源を供給するようにしてもよい。
【００４７】
また本実施形態のマルチタップ１では、電源接続部５を介して電源コンセントから直流電源の供給を受けているが、図１３及び図１４に示すマルチタップ１’のように電源コンセント１００から商用交流電源の供給を受け、交流電源を直流に変換してプラグ差込口３Ａ〜３Ｃに供給するようにしてもよい。図１３はマルチタップ１’の外観図であり、マルチタップ１’は、ＩＥＣ規格に準拠した直流用のプラグ差込口３Ａ，３Ｂ、ＵＳＢ接続ポート７，７、及び、ＪＩＳ規格に準拠した交流用のプラグ差込口２１が設けられた器体２と、器体２から導出された電源コード４と、電源コード４に設けられて商用交流電源の電源コンセント１００に挿抜自在に接続されるＡＣ１００Ｖ用の電源接続部２０とを備えている。
【００４８】
また図１４はマルチタップ１’のブロック回路図であり、マルチタップ１’は、一次側巻線と二次側巻線とが電気的に絶縁され、一次側巻線に電源接続部２０を介して商用交流電源が供給される絶縁トランス２２と、絶縁トランス２２の二次側巻線に発生する交流電圧を直流に変換するＡＣ／ＤＣコンバータ２３と、ＡＣ／ＤＣコンバータ２３の出力をプラグ差込口３Ａの定格電圧（例えば４８Ｖ）に変換してプラグ差込口３Ａの刃受部材に供給するＤＣ／ＤＣコンバータ２４と、ＤＣ／ＤＣコンバータ２４の出力をプラグ差込口３Ｂの定格電圧（例えばＤＣ２４Ｖ）に変換してプラグ差込口３Ｂの刃受部材に供給するとともに、ＤＣ５Ｖの直流電源に変換してＵＳＢ接続ポート７，７に供給するＤＣ／ＤＣコンバータ２５とを備えている。尚、交流用のプラグ差込口２１には、電源接続部２０を介して入力される商用交流電源が供給されており、商用交流電源の供給を受けて動作する交流負荷からの電源プラグをプラグ差込口２１に接続することによって、交流負荷に商用交流電源を供給することができる。また、２口のプラグ差込口３Ａ，３Ｂには同じ電圧値の直流電源を供給するようにしてもよい。
【００４９】
このようにマルチタップ１’は、電源コンセント１００から商用交流電源の供給を受け、商用交流電源から得たＳＥＬＶ（安全特別低電圧）電源をプラグ差込口３Ａ〜３Ｃに供給しているので、直流電源を供給可能な電源コンセントが存在しない場合でも、絶縁トランス２２の一次側と絶縁された直流電源をプラグ差込口３Ａ，３Ｂから供給するとともに、ＵＳＢ接続ポート７を介してＵＳＢコネクタを備えた機器に電源供給を行うことができる。
【００５０】
（実施形態４）
本発明の実施形態４を図１５及び図１６に基づいて説明する。上述の実施形態１，２では、マルチタップ１にＩＥＣ規格に準拠したプラグ差込口３（３Ａ〜３Ｄ）しか設けられていないが、本実施形態のマルチタップ１には、図１５（ａ）に示すようにＩＥＣ規格に準拠した２口のプラグ差込口３Ａ，３Ｂと、社団法人電子情報技術産業協会により規格化（ＪＥＩＴＡ  ＲＣ−５３２０Ａ参照）されたプラグ形コネクタが挿抜自在に接続される直流低電圧用のジャック９，９（ＤＣ電源用コネクタ）とが設けられている。また図１６（ａ）は本実施形態のマルチタップ１のブロック回路図を示し、２口のプラグ差込口３Ａ，３Ｂが備える刃受部材３４ａ，３４ｂには、電源接続部５を介して電源コンセントから供給されるＤＣ４８Ｖの直流電源がそのまま供給される。また、電源コンセントから供給されたＤＣ４８Ｖの直流電源はＤＣ／ＤＣコンバータ６にも入力され、ＤＣ／ＤＣコンバータ６によって例えばＤＣ６Ｖ、ＤＣ１２Ｖ、ＤＣ２４Ｖなどの直流電圧に変換されて２口のジャック９，９に供給される。尚、ＤＣ／ＤＣコンバータ６及びジャック９以外の構成は実施形態１と同様であるので、共通する構成要素には同一の符号を付してその説明は省略する。
【００５１】
上述のように本実施形態のマルチタップ１は、上記の規格（ＪＥＩＴＡ  ＲＣ−５３２０Ａ）により規定されたジャック９を備えており、電源接続部５を介して入力されたＤＣ４８Ｖの直流電源をＤＣ／ＤＣコンバータ６により負荷に適合した電圧値に変換した後、ジャック９に供給しているので、ジャック９にプラグ４０が接続された負荷４１に対して、所定の電圧値の直流電源を供給することができる。
【００５２】
尚、本実施形態では２口のプラグ差込口３Ａ，３Ｂに、電源接続部５から入力された直流電源をそのまま供給しているが、図１６（ｂ）に示すように一方のプラグ差込口３Ａの刃受部材３４ａ，３４ｂには、電源接続部５から入力されたＤＣ４８Ｖの直流電源をそのまま供給し、もう一方のプラグ差込口３の刃受部材３４ａ，３４ｂには、ＤＣ／ＤＣコンバータ６により電圧値を負荷の定格電圧に適合した電圧値（例えばＤＣ６Ｖ、ＤＣ１２Ｖ、ＤＣ２４Ｖなど）に変換した直流電源を供給するようにしてもよい。
【００５３】
また本実施形態のマルチタップ１では、電源接続部５を介して電源コンセントから直流電源の供給を受けているが、図１７及び図１８に示すマルチタップ１’のように電源コンセント１００から商用交流電源の供給を受け、交流電源を直流に変換してプラグ差込口３Ａ，３Ｂに供給するようにしてもよい。図１７はマルチタップ１’の外観図であり、マルチタップ１’は、ＩＥＣ規格に準拠した直流用のプラグ差込口３Ａ，３Ｂと上記のジャック９，９とＪＩＳ規格に準拠した交流用のプラグ差込口２１とが設けられた器体２と、器体２から導出された電源コード４に設けられて、商用交流電源の電源コンセント１００に挿抜自在に接続されるＡＣ１００Ｖ用の電源接続部２０とを備えている。
【００５４】
また図１８はマルチタップ１’のブロック回路図であり、マルチタップ１’は、一次側巻線と二次側巻線とが電気的に絶縁され、一次側巻線に電源接続部２０を介して商用交流電源が供給される絶縁トランス２２と、絶縁トランス２２の二次側巻線に発生する交流電圧を直流に変換するＡＣ／ＤＣコンバータ２３と、ＡＣ／ＤＣコンバータ２３の出力をプラグ差込口３Ａの定格電圧（例えば４８Ｖ）に変換してプラグ差込口３Ａの刃受部材に供給するＤＣ／ＤＣコンバータ２４と、ＤＣ／ＤＣコンバータ２４の出力をプラグ差込口３Ｂの定格電圧（例えばＤＣ２４Ｖ）に変換してプラグ差込口３Ｂの刃受部材に供給するとともに、所定の電圧値（例えばＤＣ１２Ｖ）に変換して直流低電圧用のジャック９，９に供給するＤＣ／ＤＣコンバータ２５とを備えている。尚、交流用のプラグ差込口２１には、電源接続部２０を介して入力される商用交流電源がそのまま供給されており、商用交流電源で動作する交流負荷からの電源プラグをプラグ差込口２１に接続することによって、交流負荷に商用交流電源を供給することができる。また、２口のプラグ差込口３Ａ，３Ｂには同じ電圧値の直流電源を供給するようにしてもよい。
【００５５】
このようにマルチタップ１’は、電源コンセントから商用交流電源の供給を受け、商用交流電源から得たＳＥＬＶ（安全特別低電圧）電源をプラグ差込口３Ａ，３Ｂに供給しているので、直流電源を供給可能な電源コンセントが存在しない場合でも、絶縁トランス２２の一次側と絶縁された直流電源をプラグ差込口３Ａ，３Ｂから供給するとともに、直流低電圧用のジャック９，９から直流電源を供給することができる。
【００５６】
（実施形態５）
本発明の実施形態５を図１９及び図２０に基づいて説明する。上述の実施形態１，２では、マルチタップ１にＩＥＣ規格に準拠したプラグ差込口３（３Ａ〜３Ｄ）しか設けられていないが、本実施形態のマルチタップ１には、図１９（ａ）に示すようにＩＥＣ規格に準拠した２口のプラグ差込口３Ａ，３Ｂと、Ｅｔｈｅｒｎｅｔ（登録商標）の配線（例えば４対８芯のツイストペアケーブル）に接続されたＲＪ４５モジュラプラグがそれぞれ挿抜自在に接続されるＲＪ４５モジュラジャックからなる第１及び第２のＬＡＮポート１０Ａ，１０Ｂが設けられている。また図１２は本実施形態のマルチタップ１のブロック回路図を示し、２口のプラグ差込口３Ａ，３Ｂが備える刃受部材３４ａ，３４ｂには、電源接続部５を介して電源コンセントから供給されるＤＣ２４Ｖの直流電源がそのまま供給される。また、電源コンセントから供給されたＤＣ２４Ｖの直流電源はＤＣ／ＤＣコンバータ６にも入力され、ＤＣ／ＤＣコンバータ６によってＤＣ４８Ｖに昇圧され、ＰｏＥ給電回路１１に供給される。ＬＡＮポート１０Ａ，１０Ｂがそれぞれ備える複数極のコンタクトの間は互いに導通され、ＬＡＮポート１０Ａ，１０Ｂ間で信号が送受されるとともに、ＰｏＥ給電回路１１が、ＬＡＮポート１０Ａ，１０Ｂ間を電気的に接続する電路に直流電力を重畳することによって、第２のＬＡＮポート１０Ｂに接続されるＥｔｈｅｒｎｅｔ（登録商標）の配線に直流電力を重畳させている。尚、ＤＣ／ＤＣコンバータ６、ＬＡＮポート１０Ａ，１０Ｂ及びＰｏＥ給電回路１１以外の構成は実施形態１と同様であるので、共通する構成要素には同一の符号を付してその説明は省略する。
【００５７】
上述のように本実施形態のマルチタップ１は、Ｅｔｈｅｒｎｅｔ（登録商標）の配線がそれぞれ接続されるＬＡＮポート１０Ａ，１０Ｂを備えており、ＰｏＥ給電機能を持たないＬＡＮ機器１２Ａからの配線１３Ａに設けたＲＪ４５モジュラプラグ１４Ａを入力側のＬＡＮポート１０Ａ（第１のＬＡＮポート）に接続するとともに、ＰｏＥ受電機能を有するＬＡＮ機器１２Ｂからの配線１３Ｂに設けたＲＪ４５モジュラプラグ１４ＢをＬＡＮポート１０Ｂ（第２のＬＡＮポート）に接続することによって、ＬＡＮ機器１２Ａ，１２Ｂ間でマルチタップ１を介して信号の送受信を可能にするとともに、マルチタップ１のＬＡＮポート１２からＬＡＮ機器１２Ｂに対してＰｏＥ給電を行うことができる。
【００５８】
ところで、ＰｏＥとは、イーサネット（登録商標）の配線で利用される４対８芯のＵＴＰケーブルを通じて直流電力を給電する技術であり、ＰｏＥ給電回路１１では、例えば１０ＢＡＳＥ−Ｔや１００ＢＡＳＥ−ＴＸにおいてデータ通信に使用されていない４本の電線に直流電力を重畳することで給電を行っているが、データ通信に使用される４本の信号線に直流電力を重畳することで給電を行ってもよい。
【００５９】
尚、本実施形態では２口のプラグ差込口３Ａ，３Ｂに、電源接続部５から入力された直流電源をそのまま供給しているが、ＤＣ／ＤＣコンバータ６により電圧値を負荷の定格電圧に対応した電圧値（例えばＤＣ６Ｖ、ＤＣ１２Ｖ、ＤＣ４８Ｖなど）に変換した直流電源を供給するようにしてもよい。
【００６０】
また、本実施形態では、電源接続部５を介して入力されるＤＣ２４Ｖの直流電源を昇圧して、ＰｏＥ給電に必要なＤＣ４８Ｖの直流電源を得るためにＤＣ／ＤＣコンバータ６を備えているが、電源接続部５を介してＤＣ４８Ｖの直流電源が入力される場合にはＤＣ／ＤＣコンバータ６を備える必要はなく、電源接続部５を介して入力されるＤＣ４８Ｖの直流電源をそのままＰｏＥ給電回路１１に供給すればよい。
【００６１】
尚、本実施形態のマルチタップ１では、電源接続部５を介して電源コンセントから直流電源の供給を受けているが、図２１及び図２２に示すマルチタップ１’のように電源コンセント１００から商用交流電源の供給を受け、交流電源を直流に変換してプラグ差込口３Ａ，３ＢやＰｏＥ給電回路１１に供給するようにしてもよい。図２１はマルチタップ１’の外観図であり、マルチタップ１’は、ＩＥＣ規格に準拠した直流用のプラグ差込口３Ａ，３Ｂと上記のＬＡＮポート１０Ａ，１０ＢとＪＩＳ規格に準拠した交流用のプラグ差込口２１とが設けられた器体２と、器体２から導出された電源コード４に設けられて、商用交流電源の電源コンセント１００に挿抜自在に接続されるＡＣ１００Ｖ用の電源接続部２０とを備えている。
【００６２】
また図２２はマルチタップ１’のブロック回路図であり、マルチタップ１’は、一次側巻線と二次側巻線とが電気的に絶縁され、一次側巻線に電源接続部２０を介して商用交流電源が供給される絶縁トランス２２と、絶縁トランス２２の二次側巻線に発生する交流電圧を直流に変換するＡＣ／ＤＣコンバータ２３と、ＡＣ／ＤＣコンバータ２３の出力をプラグ差込口３Ａの定格電圧（例えば４８Ｖ）に変換してプラグ差込口３Ａの刃受部材に供給するとともにＰｏＥ給電回路１１に供給するＤＣ／ＤＣコンバータ２４と、ＤＣ／ＤＣコンバータ２４の出力をプラグ差込口３Ｂの定格電圧（例えばＤＣ２４Ｖ）に変換してプラグ差込口３Ｂの刃受部材に供給するＤＣ／ＤＣコンバータ２５とを備えている。尚、交流用のプラグ差込口２１には、電源接続部２０を介して入力される商用交流電源が供給されており、商用交流電源で動作する交流負荷からの電源プラグをプラグ差込口２１に接続することによって、交流負荷に商用交流電源を供給することができる。また、２口のプラグ差込口３Ａ，３Ｂには同じ電圧値の直流電源を供給するようにしてもよい。
【００６３】
このようにマルチタップ１’は、電源コンセント１００から商用交流電源の供給を受け、商用交流電源から得たＳＥＬＶ（安全特別低電圧）電源をプラグ差込口３Ａ，３Ｂに供給しているので、直流電源を供給可能な電源コンセントが存在しない場合でも、絶縁トランス２２の一次側と絶縁された直流電源をプラグ差込口３Ａ，３Ｂから供給するとともに、ＬＡＮポート１０ＢからＰｏＥ給電を行うことができる。
【００６４】
（実施形態６）
本発明の実施形態６を図２３及び図２４に基づいて説明する。上述した実施形態３のマルチタップ１ではＵＳＢ接続ポート７を備え、ＵＳＢ接続ポート７からＤＣ５Ｖの直流電源を供給しているが、本実施形態では、図２３及び図２４に示すようにＵＳＢ接続ポートとして、上流側からのＵＳＢコネクタが接続される上流側のＵＳＢ接続ポート７Ａと、下流側からのＵＳＢコネクタがそれぞれ接続される複数（例えば４ポート）の下流側のＵＳＢ接続ポート７Ｂと、上流側のＵＳＢ接続ポート７Ａと下流側のＵＳＢ接続ポート７Ｂの間で信号の転送処理を行うＵＳＢハブ回路８とを備えている。このＵＳＢハブ回路８は、ＤＣ／ＤＣコンバータ６から動作電源の供給を受けるとともに、ＤＣ／ＤＣコンバータ６から得たＤＣ５Ｖの直流電源を、下流側のＵＳＢ接続ポート７Ｂに供給する給電機能を備えている。尚、ＵＳＢ接続ポート７Ａ，７Ｂ及びＵＳＢハブ回路８以外は実施形態３と同様であるので、共通する構成要素には同一の符号を付して、その説明は省略する。
【００６５】
上述のように本実施形態のマルチタップ１は、上流側のＵＳＢ機器からのＵＳＢコネクタが接続されるＵＳＢ接続ポート７Ａと、下流側のＵＳＢ機器からのＵＳＢコネクタが接続される複数個のＵＳＢ接続ポート７Ｂとを備え、ＵＳＢハブ回路８が、上流側のＵＳＢ接続ポート７Ａと下流側のＵＳＢ接続ポート７Ｂの間で信号の転送処理を行うとともに、下流側のＵＳＢ接続ポート７Ｂに直流電力を供給しているので、マルチタップ１に給電機能を備えたＵＳＢハブの機能を持たせることができる。
【００６６】
尚、本実施形態では、２個のプラグ差込口３Ａ、３Ｂのうち、一方のプラグ差込口３Ａには電源接続部５に入力されたＤＣ４８Ｖの直流電源をそのまま供給し、もう一方のプラグ差込口３ＢにはＤＣ／ＤＣコンバータ６によってＤＣ２４Ｖに降圧された直流電源を供給しているが、２個のプラグ差込口３Ａ，３Ｂに電圧値の同じ直流電源を供給するようにしてもよい。
【００６７】
また、本実施形態のマルチタップ１では、電源接続部５を介して電源コンセントから直流電源の供給を受けているが、図２５及び図２６に示すマルチタップ１’のように電源コンセント１００から商用交流電源の供給を受け、交流電源を直流に変換してプラグ差込口３Ａ，３Ｂに供給するようにしてもよい。図２５はマルチタップ１’の外観図であり、マルチタップ１’は、ＩＥＣ規格に準拠した直流用のプラグ差込口３Ａ，３ＢとＵＳＢ接続ポート７Ａ，７ＢとＪＩＳ規格に準拠した交流用のプラグ差込口２１とが設けられた器体２と、器体２から導出された電源コード４に設けられて、商用交流電源の電源コンセント１００に挿抜自在に接続されるＡＣ１００Ｖ用の電源接続部２０とを備えている。
【００６８】
また図２６はマルチタップ１’のブロック回路図であり、マルチタップ１’は、一次側巻線と二次側巻線とが電気的に絶縁され、一次側巻線に電源接続部２０を介して商用交流電源が供給される絶縁トランス２２と、絶縁トランス２２の二次側巻線に発生する交流電圧を直流に変換するＡＣ／ＤＣコンバータ２３と、ＡＣ／ＤＣコンバータ２３の出力をプラグ差込口３Ａの定格電圧（例えば４８Ｖ）に変換してプラグ差込口３Ａの刃受部材に供給するＤＣ／ＤＣコンバータ２４と、ＤＣ／ＤＣコンバータ２４の出力をプラグ差込口３Ｂの定格電圧（例えばＤＣ２４Ｖ）に変換してプラグ差込口３Ｂの刃受部材に供給するとともに、ＤＣ５Ｖの直流電源に変換してＵＳＢハブ回路８に供給するＤＣ／ＤＣコンバータ２５とを備えている。尚、交流用のプラグ差込口２１には、電源接続部２０を介して入力される商用交流電源が供給されており、商用交流電源で動作する交流負荷からの電源プラグをプラグ差込口２１に接続することによって、交流負荷に商用交流電源を供給することができる。また、２口のプラグ差込口３Ａ，３Ｂには同じ電圧値の直流電源を供給するようにしてもよい。
【００６９】
このようにマルチタップ１’は、電源コンセント１００から商用交流電源の供給を受け、商用交流電源から得たＳＥＬＶ（安全特別低電圧）電源をプラグ差込口３Ａ，３Ｂに供給しているので、直流電源を供給可能な電源コンセントが存在しない場合でも、絶縁トランス２２の一次側と絶縁された直流電源をプラグ差込口３Ａ，３Ｂから供給するとともに、ＵＳＢ接続ポート７Ｂから電源供給を行うことができる。
【００７０】
（実施形態７）
本発明の実施形態７を図２７及び図２８に基づいて説明する。上述した実施形態５では、Ｅｔｈｅｒｎｅｔ（登録商標）の配線が接続されるＬＡＮポート１０Ａ，１０Ｂを備え、一方のＬＡＮポート１０ＡにＰｏＥ給電機能を持たないＬＡＮ機器１２Ａを接続するとともに、他方のＬＡＮポート１０ＢにＰｏＥ受電機能を備えたＬＡＮ機器１２Ｂを接続し、マルチタップ１を介してＬＡＮ機器１２Ａ，１２Ｂ間で通信を行わせるとともに、マルチタップ１からＬＡＮ機器１２Ｂに対してＰｏＥ給電を行っているが、本実施形態のマルチタップ１では、Ｅｔｈｅｒｎｅｔ（登録商標）の配線がそれぞれ接続される複数（例えば５ポート）のＬＡＮポート１０Ａ〜１０Ｅと、複数のＬＡＮポート１０Ａ〜１０Ｅの間で信号の転送処理を行うハブ回路１５とを備えており、ハブ回路１５は、ＤＣ／ＤＣコンバータ６Ａから動作電源を得るとともに、ＤＣ／ＤＣコンバータ６Ａから供給されるＤＣ４８Ｖの直流電力をＬＡＮポート１０Ａ〜１０Ｅに接続される配線に重畳させることによって、ＰｏＥ給電を行っている。尚、本実施形態のマルチタップ１は、ＤＣ／ＤＣコンバータ６Ａ，６ＢとＬＡＮポート１０Ａ〜１０Ｅとハブ回路１５とを除いて実施形態５のマルチタップと同様の構成を有しているので、実施形態５のマルチタップ１と共通する構成要素には同一の符号を付して、その説明は省略する。
【００７１】
本実施形態のマルチタップ１は、ＩＥＣ規格に準拠した２口のプラグ差込口３Ａ，３Ｂを有し、一方のプラグ差込口３Ａの刃受部材３４ａ，３４ｂには、電源接続部５を介して電源コンセントから供給されたＤＣ２４Ｖの直流電源がそのまま供給され、他方のプラグ差込口３Ｂの刃受部材３４ａ，３４ｂには、電源接続部５を介して供給されるＤＣ２４Ｖの直流電源をＤＣ／ＤＣコンバータ６Ｂにより降圧して得たＤＣ１２Ｖの直流電源が供給されている。またＤＣ／ＤＣコンバータ６Ａは、電源接続部５を介して供給されるＤＣ２４Ｖの直流電源をＤＣ４８Ｖに昇圧してハブ回路１５に供給しており、ハブ回路１５は、ＬＡＮポート１０Ａ〜１０Ｅの間で信号の転送処理を行うとともに、電源接続部５を介して外部電源から得た直流電力を各ＬＡＮポート１０Ａ〜１０Ｅに接続される配線に重畳させることで、各ＬＡＮポート１０Ａ〜１０Ｅに接続されるＬＡＮ機器に対してＰｏＥ給電を行うことができる。ところで、ＰｏＥとは、イーサネット（登録商標）の配線で利用される４対８芯のＵＴＰケーブルを通じて直流電力を給電する技術であり、ハブ回路１５では、例えば１０ＢＡＳＥ−Ｔや１００ＢＡＳＥ−ＴＸにおいてデータ通信に使用されていない４本の電線に直流電力を重畳することで給電を行っているが、データ通信に使用される４本の信号線に直流電力を重畳することで給電を行ってもよい。
【００７２】
尚、本実施形態では２口のプラグ差込口３Ａ，３Ｂに、互いに異なる電圧値の直流電力を供給しているが、両プラグ差込口３Ａ，３Ｂに電圧値の同じ直流電力を供給してもよい。また、本実施形態では、電源接続部５を介して入力されるＤＣ２４Ｖの直流電源を昇圧して、ＰｏＥ給電に必要なＤＣ４８Ｖの直流電源を得るためにＤＣ／ＤＣコンバータ６Ａを備えているが、電源接続部５を介してＤＣ４８Ｖの直流電源が入力される場合にはＤＣ／ＤＣコンバータ６Ａを備える必要はなく、電源接続部５を介して入力されるＤＣ４８Ｖの直流電源をそのままＰｏＥ給電機能付きのハブ回路１５に供給すればよい。
【００７３】
また、本実施形態のマルチタップ１では、電源接続部５を介して電源コンセントから直流電源の供給を受けているが、図２９及び図３０に示すマルチタップ１’のように電源コンセント１００から商用交流電源の供給を受け、交流電源を直流に変換してプラグ差込口３Ａ，３Ｂに供給するようにしてもよい。図２９はマルチタップ１’の外観図であり、マルチタップ１’は、ＩＥＣ規格に準拠した直流用のプラグ差込口３Ａ，３Ｂと複数のＬＡＮポート１０Ａ〜１０ＥとＪＩＳ規格に準拠した交流用のプラグ差込口２１とが設けられた器体２と、器体２から導出された電源コード４に設けられて、商用交流電源の電源コンセント１００に挿抜自在に接続されるＡＣ１００Ｖ用の電源接続部２０とを備えている。
【００７４】
また図３０はマルチタップ１’のブロック回路図であり、マルチタップ１’は、一次側巻線と二次側巻線とが電気的に絶縁され、一次側巻線に電源接続部２０を介して商用交流電源が供給される絶縁トランス２２と、絶縁トランス２２の二次側巻線に発生する交流電圧を直流に変換するＡＣ／ＤＣコンバータ２３と、ＡＣ／ＤＣコンバータ２３の出力をプラグ差込口３Ａの定格電圧（例えば４８Ｖ）に変換してプラグ差込口３Ａの刃受部材に供給するＤＣ／ＤＣコンバータ２４と、ＤＣ／ＤＣコンバータ２４の出力をプラグ差込口３Ｂの定格電圧（例えばＤＣ２４Ｖ）に変換してプラグ差込口３Ｂの刃受部材に供給するＤＣ／ＤＣコンバータ２５と、ＤＣ／ＤＣコンバータ２４の出力をＰｏＥ給電に必要なＤＣ４８Ｖに変換してハブ回路１５に供給するＤＣ／ＤＣコンバータ２６とを備えている。尚、交流用のプラグ差込口２１には、電源接続部２０を介して入力される商用交流電源が供給されており、商用交流電源で動作する交流負荷からの電源プラグをプラグ差込口２１に接続することによって、交流負荷に商用交流電源を供給することができる。また、２口のプラグ差込口３Ａ，３Ｂには同じ電圧値の直流電源を供給するようにしてもよい。またＤＣ／ＤＣコンバータ２４が、ＡＣ／ＤＣコンバータ２３の出力をＤＣ４８Ｖの直流電圧に変換する場合は、ＤＣ／ＤＣコンバータ２６は不要である。
【００７５】
このようにマルチタップ１’は、電源コンセントから商用交流電源の供給を受け、商用交流電源から得たＳＥＬＶ（安全特別低電圧）電源をプラグ差込口３Ａ，３Ｂに供給しているので、直流電源を供給可能な電源コンセントが存在しない場合でも、絶縁トランス２２の一次側と絶縁された直流電源をプラグ差込口３Ａ，３Ｂから供給するとともに、ＬＡＮポート１０Ａ〜１０ＥからＰｏＥ給電を行うことができる。
【００７６】
（実施形態８）
本発明の実施形態８を図３１及び図３２に基づいて説明する。本実施形態のマルチタップ１では、実施形態１で説明したマルチタップ１において、蓄電池１６と、電源接続部５を介して電源コンセントから外部電源が供給される間は外部電源から得た直流電源により蓄電池１６を充電する充電回路１７Ａ、及び、外部電源の停電時には蓄電池１６を放電させることで、各プラグ差込口３の刃受部材３４ａ，３４ｂに直流電力を供給する放電回路１７Ｂからなる充放電回路１７とを備えている。尚、蓄電池１６及び充放電回路１７以外の構成は実施形態１のマルチタップと同様であるので、共通する構成要素には同一の符号を付して、その説明は省略する。
【００７７】
上述のように、本実施形態のマルチタップ１は蓄電池１６と、蓄電池１６の充放電を制御する充放電回路１７（充電回路１７Ａ及び放電回路１７Ｂからなる）とを備えており、外部電源の通電中に充電回路１７Ａが蓄電池１６を充電しておくことで、外部電源の停電時には蓄電池１６を電源として、各プラグ差込口３Ａ〜３Ｃの刃受部材３４ａ，３４ｂに直流電力を供給することができ、外部電源の停電時にもプラグ差込口３Ａ〜３Ｃに差込プラグが接続された負荷を動作させることができる。
【００７８】
尚、本実施形態では３口のプラグ差込口３Ａ〜３Ｃのうち、プラグ差込口３Ａには電源接続部５を介して電源コンセントから供給されたＤＣ４８Ｖの直流電源をそのまま供給し、プラグ差込口３Ｂ，３ＣにはＤＣ／ＤＣコンバータ６により電圧値をＤＣ２４Ｖ、ＤＣ１２Ｖに変換した直流電源を供給しているが、供給電圧の組み合わせを上記の形態に限定する趣旨のものではなく、３口のプラグ差込口３Ａ〜３Ｃに電圧値の同じ直流電力を供給するようにしてもよい。
【００７９】
また、本実施形態のマルチタップ１では、電源接続部５を介して電源コンセントから直流電源の供給を受けているが、図３３及び図３４（ａ）に示すマルチタップ１’のように電源コンセント１００から商用交流電源の供給を受け、交流電源を直流に変換してプラグ差込口３Ａ〜３Ｃに供給するようにしてもよい。図３３はマルチタップ１’の外観図であり、マルチタップ１’は、ＩＥＣ規格に準拠した直流用のプラグ差込口３Ａ〜３ＣとＪＩＳ規格に準拠した交流用のプラグ差込口２１とが設けられた器体２と、器体２から導出された電源コード４に設けられて電源コンセント１００に挿抜自在に接続されるＡＣ１００Ｖ用の電源接続部２０とを備えている。
【００８０】
また図３４（ａ）はマルチタップ１’のブロック回路図であり、マルチタップ１’は、一次側巻線と二次側巻線とが電気的に絶縁され、一次側巻線に電源接続部２０を介して商用交流電源が供給される絶縁トランス２２と、絶縁トランス２２の二次側巻線に発生する交流電圧を直流に変換するＡＣ／ＤＣコンバータ２３と、ＡＣ／ＤＣコンバータ２３の出力をプラグ差込口３Ａ〜３Ｃの定格電圧（例えば４８Ｖ）に変換してプラグ差込口３Ａ〜３Ｃの刃受部材に供給するＤＣ／ＤＣコンバータ２４とを備えている。また、ＤＣ／ＤＣコンバータ２４の出力は充電回路１７Ａに供給されており、外部電源の通電中は充電回路１７Ａが蓄電池１６を充電する。また外部電源の停電時には放電回路１７Ｂが蓄電池１６を放電させ、蓄電池１６を電源として各プラグ差込口３Ａ〜３Ｃの刃受部材３４ａ，３４ｂに直流電力を供給することができる。ここにおいて、外部電源の停電時に、蓄電池１６からの放電電流が電源側へ流れ込まないように、放電回路１７ＢとＤＣ／ＤＣコンバータ２４との間には逆流防止用の整流素子（図示せず）が接続されている。
【００８１】
尚、図３４（ａ）に示す回路では３口のプラグ差込口３に電圧値が同じ直流電源が供給されるのであるが、図３４（ｂ）に示すように、ＤＣ／ＤＣコンバータ２４の出力（例えばＤＣ４８Ｖ）をプラグ差込口３Ｂ，３Ｃにそれぞれ適合した電圧値（例えばＤＣ２４ＶとＤＣ１２Ｖ）に変換してプラグ差込口３Ｂ，３Ｃに供給するＤＣ／ＤＣコンバータ６を設けてもよい。
【００８２】
また、図３３及び図３４に示すマルチタップ１’では、直流用のプラグ差込口３Ａ〜３Ｃのみ停電補償されており、商用交流電源の停電時には交流用のプラグ差込口２１からは交流電源を供給することができないが、図３５及び図３６に示すマルチタップ１’のように停電補償されていない交流用のプラグ差込口２１Ａと、停電補償された交流用のプラグ差込口２１Ｂとを設けてもよい。図３６はこのマルチタップ１’のブロック回路図であり、停電補償されていない交流用のプラグ差込口２１Ａには、電源接続部２０を介して入力される商用交流電源がそのまま供給されている。またマルチタップ１’は、商用交流電源の停電時に蓄電池１６を放電させる放電回路１７Ｃと、放電回路１７Ｃを介して蓄電池１６の放電電流が供給され、所定の電圧値まで昇圧させた直流電圧を発生するＤＣ／ＤＣコンバータ２７と、ＤＣ／ＤＣコンバータ２７の出力を交流電圧に変換するＤＣ／ＡＣインバータ２８と、プラグ差込口２１Ｂの入力を絶縁トランス２２の二次巻線又はＤＣ／ＡＣインバータ２８の何れかに切り替える切替スイッチ２９とを備えている。ここで、商用交流電源の通電中は切替スイッチ２９がプラグ差込口２１Ｂの入力を絶縁トランス２２の二次巻線側に切り替えているので、電源コンセント１００から供給される商用交流電源から得た交流電源をプラグ差込口２１Ｂに供給することができる。一方、商用交流電源の停電時には切替スイッチ２９がプラグ差込口２１Ｂの入力をＤＣ／ＡＣインバータ２８側に切り替えており、蓄電池１６を電源としてＤＣ／ＡＣインバータ２８から出力される交流電源をプラグ差込口２１Ｂに供給することで、停電時にもプラグ差込口２１Ｂに接続された交流負荷を動作させることができる。
【図面の簡単な説明】
【００８３】
【図１】実施形態１のマルチタップを示し、（ａ）は全体の外観図、（ｂ）は電源接続部の説明図である。
【図２】同上のプラグ差込口を示し、（ａ）は要部拡大図、（ｂ）はＣ−Ｃ断面図、（ｃ）はＤ−Ｄ断面図である。
【図３】同上のプラグ差込口に設けた嵌合溝の配置を説明する説明図である。
【図４】同上の電源接続部を示し、（ａ）は外観斜視図、（ｂ）は識別リブの配置を説明する説明図である。
【図５】同上のマルチタップの他の構成を示す外観図である。
【図６】同上のブロック回路図である。
【図７】実施形態２のマルチタップを示し、（ａ）は全体の外観図、（ｂ）は電源接続部の説明図である。
【図８】同上のブロック回路図である。
【図９】同上のマルチタップの他の構成を示す外観図である。
【図１０】同上のブロック回路図である。
【図１１】実施形態３のマルチタップを示し、（ａ）は全体の外観図、（ｂ）は電源接続部の説明図である。
【図１２】（ａ）（ｂ）は同上のブロック回路図である。
【図１３】同上のマルチタップの他の構成を示す外観図である。
【図１４】同上のブロック回路図である。
【図１５】実施形態４のマルチタップを示し、（ａ）は全体の外観図、（ｂ）は電源接続部の説明図である。
【図１６】（ａ）（ｂ）は同上のブロック回路図である。
【図１７】同上のマルチタップの他の構成を示す外観図である。
【図１８】同上のブロック回路図である。
【図１９】実施形態５のマルチタップを示し、（ａ）は全体の外観図、（ｂ）は電源接続部の説明図である。
【図２０】同上のブロック回路図である。
【図２１】同上のマルチタップの他の構成を示す外観図である。
【図２２】同上のブロック回路図である。
【図２３】実施形態６のマルチタップを示し、（ａ）は全体の外観図、（ｂ）は電源接続部の説明図である。
【図２４】同上のブロック回路図である。
【図２５】同上のマルチタップの他の構成を示す外観図である。
【図２６】同上のブロック回路図である。
【図２７】実施形態７のマルチタップを示し、（ａ）は全体の外観図、（ｂ）は電源接続部の説明図である。
【図２８】同上のブロック回路図である。
【図２９】同上のマルチタップの他の構成を示す外観図である。
【図３０】同上のブロック回路図である。
【図３１】実施形態８のマルチタップを示し、（ａ）は全体の外観図、（ｂ）は電源接続部の説明図である。
【図３２】同上のブロック回路図である。
【図３３】同上のマルチタップの他の構成を示す外観図である。
【図３４】（ａ）は同上の全体を示すブロック回路図、（ｂ）は同上の要部を示すブロック回路図である。
【図３５】同上のマルチタップのまた別の構成を示す外観図である。
【図３６】同上のブロック回路図である。
【符号の説明】
【００８４】
１  マルチタップ
２  器体
３  プラグ差込口
４  電源コード
５  電源接続部
３１  プラグ挿入用穴
３２  突出部
３３ａ，３３ｂ  端子挿入用孔
３４ａ，３４ｂ  刃受部材
【図１】
2010097876.tif 000003
【図２】
2010097876.tif 000004
【図３】
2010097876.tif 000005
【図４】
2010097876.tif 000006
【図５】
2010097876.tif 000007
【図６】
2010097876.tif 000008
【図７】
2010097876.tif 000009
【図８】
2010097876.tif 000010
【図９】
2010097876.tif 000011
【図１０】
2010097876.tif 000012
【図１１】
2010097876.tif 000013
【図１２】
2010097876.tif 000014
【図１３】
2010097876.tif 000015
【図１４】
2010097876.tif 000016
【図１５】
2010097876.tif 000017
【図１６】
2010097876.tif 000018
【図１７】
2010097876.tif 000019
【図１８】
2010097876.tif 000020
【図１９】
2010097876.tif 000021
【図２０】
2010097876.tif 000022
【図２１】
2010097876.tif 000023
【図２２】
2010097876.tif 000024
【図２３】
2010097876.tif 000025
【図２４】
2010097876.tif 000026
【図２５】
2010097876.tif 000027
【図２６】
2010097876.tif 000028
【図２７】
2010097876.tif 000029
【図２８】
2010097876.tif 000030
【図２９】
2010097876.tif 000031
【図３０】
2010097876.tif 000032
【図３１】
2010097876.tif 000033
【図３２】
2010097876.tif 000034
【図３３】
2010097876.tif 000035
【図３４】
2010097876.tif 000036
【図３５】
2010097876.tif 000037
【図３６】
2010097876.tif 000038